(57)【要約】      （修正有）【課題】恰も自分の爪にネイルアートを描いているようなネイルアート遊びを楽しむことができるとともに、自分の爪に簡単にネイルアートを施すことができるネイルシール作成装置を提供する。【解決手段】ネイルシール作成装置Ａは、ネイルアートのサンプルａが表示されたサンプルカード２を載置する載置部３と、該載置部３の上に開閉可能に配置されネイルシールｂを貼り付けるシールトレイ４と、該シールトレイ４に貼り付けたネイルシールｂを剥がす剥がし具５とで構成され、上記シールトレイ４は透明なプレートで上面には凹部が形成され、該シールトレイ４を上記サンプルカード２に重ねたとき、上記凹部の一部がサンプルａの上に重なるように形成し、上記剥がし具５は先端部５ａが上記シールトレイ４の凹部に差し込める大きさに形成し、先端部５ａを上記シールトレイ４に貼り付けたネイルシールｂの下に位置させることができるようにした。【選択図】図１
0003156191.tif 000002
【実用新案登録請求の範囲】
【請求項１】
爪に貼り付けるネイルシールにネイルアートを施すネイルシール作成装置であって、以下の要件を備えることを特徴とするネイルシール作成装置。
（イ）上記ネイルシール作成装置は、ネイルアートのサンプルが表示されたサンプルカードを載置する載置部と、該載置部の上面に開閉可能に配置され上記ネイルシールを貼り付けるシールトレイと、該シールトレイに貼り付けたネイルシールを剥がす剥がし具とで構成されていること
（ロ）上記シールトレイは透明なプレートからなり、上面の一部には凹部が形成され、該凹部はシールトレイを上記サンプルカードに重ねたときに、上記凹部の一部がサンプルの上に重なるように形成されていること
（ハ）上記剥がし具は先端部が上記シールトレイの凹部に差し込める大きさに形成され、先端部を上記シールトレイに貼り付けたネイルシールの下に位置させることができること
【考案の詳細な説明】
【技術分野】
【０００１】
本考案は、ネイルシール作成装置、詳しくは爪に貼り付けるネイルシールにネイルアートを施すことができるネイルシール作成装置に関するものである。
【背景技術】
【０００２】
従来、爪に直接ネイルアートを描くのが一般的であったが、爪に直接ネイルアートを描くのは色々作業が発生し、作成するだけではなく、ネイルアートを消去する場合も簡単にはできないため、誰でもネイルアートが楽しめる装置が本出願人から提案されている（例えば、特許文献１）。この装置は、シール移送部材の下端の粘着層によってシール収容部のシールを粘着し、シールの裏面の粘着剤層によってシールを爪に粘着させることができるので、ネイルアートを簡単に作成することができるようにしたものである。
【先行技術文献】
【特許文献】
【０００３】
【特許文献１】特開２００７−２０８４７号公報
【考案の概要】
【考案が解決しようとする課題】
【０００４】
本考案が解決しようとする問題点は、上述の装置では、シールを貼るだけで爪に簡単にネイルアートを施すことができるが、自分でネイルアートを描く楽しみがない上、オリジナリティのあるネイルアートを楽しむネイルアート遊びができない問題があった。
【０００５】
本考案は、上記問題点を解決し、恰も自分の爪にネイルアートを描いているようなネイルアート遊びを楽しむことができるとともに、自分の爪に簡単にネイルアートを施すことができるネイルシール作成装置を提供することを課題とする。
【課題を解決するための手段】
【０００６】
前記課題を解決するために本考案に係るネイルシール作成装置は、爪に貼り付けるネイルシールにネイルアートを施すネイルシール作成装置であって、以下の要件を備えることを特徴とする。
（イ）上記ネイルシール作成装置は、ネイルアートのサンプルが表示されたサンプルカードを載置する載置部と、該載置部の上面に開閉可能に配置され上記ネイルシールを貼り付けるシールトレイと、該シールトレイに貼り付けたネイルシールを剥がす剥がし具とで構成されていること
（ロ）上記シールトレイは透明なプレートからなり、上面の一部には凹部が形成され、該凹部はシールトレイを上記サンプルカードに重ねたときに、上記凹部の一部がサンプルの上に重なるように形成されていること
（ハ）上記剥がし具は先端部が上記シールトレイの凹部に差し込める大きさに形成され、先端部を上記シールトレイに貼り付けたネイルシールの下に位置させることができること
【考案の効果】
【０００７】
本考案によれば、サンプルカードの上に重ねたシールトレイ上にネイルシールを貼り付けて、サンプルを参考にしてネイルアートを施した後は、剥がし具の先端を凹部に差し込んでネイルシールを簡単に剥がすことができるので、作成したネイルシールを傷つけることなく爪に貼ることができ、誰でも簡単にネイルアートを楽しむことができるネイルシール作成装置を提供することができる。
【図面の簡単な説明】
【０００８】
【図１】本考案に係るネイルシール作成装置の構成を説明する斜視図
【図２】上記ネイルシール作成装置の構造を説明する分解斜視図
【図３】（ａ）〜（ｄ）は、上記ネイルシール作成装置の使用態様を説明する要部縦断面図
【図４】（ａ）（ｂ）は、載置部にサンプルカードを収容した状態と、ネイルシールにネイルアートを施す状態を説明する斜視図
【図５】（ａ）〜（ｃ）は、シールトレイからネイルシールを剥がして爪に貼る状態を説明する斜視図
【図６】（ａ）（ｂ）は、上記ネイルシール作成装置を収容するキャリングケースと、キャリングケースを開けた状態を示す斜視図
【考案を実施するための形態】
【０００９】
図１は、本考案に係るネイルシール作成装置Ａを示し、このネイルシール作成装置Ａは装置本体の上面に形成されネイルアートのサンプルａが表示されたサンプルカード２を載置する載置部３と、この載置部３の上面に開閉可能に配置され爪に貼り付けるネイルシールｂが貼り付けられるシールトレイ４と、該シールトレイ４に貼り付けたネイルシールｂを剥がす剥がし具５とで構成されている。
【００１０】
図２に示すように、載置部３は装置本体１の略中央に形成され、上記サンプルカード２を載置したとき位置がずれないようにサンプルカード２と同じ大きさの凹部で構成され、載置部３の前部には載置したサンプルカード２を取り外す際に指先を差し込めるように前方に向かって切り込み３ａが形成されている。
【００１１】
シールトレイ４は後端が装置本体１に形成された軸支部９に支軸１０で回動可能に軸支され、支軸１０を中心に上下に開閉できるようになっており、閉じたときには載置部３の上を覆い、開いたときには載置部３を開放し、サンプルカード２を載置部３に収容したり、載置部３から取り出したりできるようになっている。このシールトレイ４は透明な樹脂（例えば、アクリル板）で形成され、載置部３に載置したサンプルカード２を上から視認できるようになっている。
【００１２】
上記シールトレイ４の表面には凹部８が形成されている。この凹部８は一端から他端（左右方向）に形成された凹溝で構成されている。この凹部（以下、凹溝という）８は複数本形成され、この凹溝８と凹溝８との間隔はネイルシールｂの長手方向の長さよりも広く設定されていればよい。また、サンプルカード２に表示されているサンプルａは載置部３にサンプルカード２を載置したとき、凹溝８の下方にサンプルａの中央が位置するように印刷されていればよい。
【００１３】
なお、後述する剥がし具５の先端５ａがネイルシールｂの下方に差し込めれば上記凹部８は必ずしも凹溝で構成されている必要はない。例えば、図示しないが、凹部８を小さな円形に形成するとともに水玉状に多数配置し、円形の凹部８の一部がサンプルａに重なるようにしてもよい。
【００１４】
剥がし具５は先端５ａが上記シールトレイ４の凹溝８に差し込める幅と厚さの略ピンセット状に形成され、一方の先端５ａを凹溝８に差し込んだとき上記ネイルシールｂの下方に位置させることができ、剥がし具５でネイルシールｂを挟んでシールトレイ４から引き剥がせるようになっている。
【００１５】
なお、この剥がし具５はピンセット状に形成されている必要はなく、細い板状に形成し、先端部が凹溝８に差し込める幅と厚さに形成されていてもよい。この場合は、シールトレイ４からネイルシールｂの一部を引き剥がした後、引き剥がした部分を親指と人差し指でつまんでシールトレイ４から引き剥がせばよい。
【００１６】
また、ネイルシールｂは凹溝８の分だけシールトレイ４との接着面が少なくなり、全体の接着力が小さくなっているので、剥がし具５の先端５ａを凹溝８に差し込めば容易にネイルシールｂをシールトレイ４から引き剥がすことができる。
【００１７】
そして、上記装置本体１の載置部２の両側には、ネイルシールｂに貼り付けるデコレーションシールや剥がし具５を収容する小物入れ１１と、ネイルアートを施す前の未使用のネイルシールｂを収容する収容部１２とが配置され、収容部１２の後方にはネイルアートをする際に使用するネイルペン６を一時的に置くペン置き１４が配置され、小物入れ１１の手前には爪にネイルシールｂを貼り付ける際に使用する指置き１３が配置されている。この指置き１３の中央には、指先を係合させて安定させるための係合凹部１３ａが形成されている。
【００１８】
なお、図６（ａ）に示すように、装置本体１はキャリングケースＣの中蓋としての機能も備えるように形成し、キャリングケースＣにネイルアートに必要なネイルペン６や、サンプルカード２、ネイルシールｂなどを入れて持ち運びでき、任意の場所で装置本体１をキャリングケースＣから取り出してネイルシールｂにネイルアートを施すことができるようにしてもよい。
【００１９】
次に、上記構成のネイルアート作成装置Ａの使用態様について説明する。
【００２０】
先ず、ネイルシールｂに施したいネイルアートのサンプルａが表示されたサンプルシート２を選択し、シールトレイ４持ち上げて載置部３を開放して、選択したサンプルシート２を載置部３に載置する（図３（ａ）、図４（ａ）参照）。サンプルシート２を載置３に載置したら、シールトレイ４を倒してサンプルシート２の上を覆うように被せる（図３（ｂ）参照）。この状態では、載置部３に載置したサンプルシート２のサンプルａがシールトレイ４の上から視認できる。
【００２１】
次に未使用のネイルシールｂをシールトレイ４上に貼り付ける。この時ネイルシールｂがサンプルａの真上に位置するように貼りつける（図３（ｃ）参照）。この状態ではネイルシールｂの中央がシールトレイ４の凹溝８に対応した位置になっている。
【００２２】
次に、図３（ｄ）、図４（ｂ）に示すように、サンプルａを参考にしてネイルペン６でネイルシールｂ上にネイルアートを施してもよいし、デコレーションシール（図示せず）を貼り付けてもよい。
【００２３】
ネイルアートが完成したら、ピンセット状の剥がし具５の一方の先端部５ａを、図５（ａ）に示すように、凹溝８に差し込み、ネイルシールｂを先端部５ａ、５ａで摘んでシールトレイ４から引き剥がし（図５（ｂ）参照）、図５（ｃ）に示すように、指先を指置き１３の係合凹部１３ａに係合させて指先を安定させ、シールトレイ４から剥がしたネイルシールｂを爪に貼り付ければよい。
【００２４】
なお、シールトレイ４から剥がしたネイルシールｂを直接爪に貼り付けてもよいし、一端他のシートに貼り付けておいて全ての爪に貼り付けるネイルシールｂにネイルアートを完成させてから爪にネイルシールｂを順次貼り付けるようにしてもよい。
【００２５】
上述したように、本考案のネイルシール作成玩具によれば、サンプルシート２のサンプルａを参考にして上からなぞるようにしてネイルシールｂにネイルアートを施し、ネイルアートが完成したネイルシールｂは剥がし具５で簡単にネイルトレイ３から剥がせるので、苦心してネイルアートを施したネイルシールｂを傷つけることなく爪に貼り付けることができ、自分で工夫して作成したネイルシールを自分の爪に貼ることができるネイルシール作成玩具を提供することができる。
【符号の説明】
【００２６】
１    装置本体
２    サンプルシート
３    載置部
４    シールトレイ
５    剥がし具
８    凹部（凹溝）
ａ    サンプル
ｂ    ネイルシール
Ａ    ネイルシール作成装置
【図１】
0003156191.tif 000003
【図２】
0003156191.tif 000004
【図３】
0003156191.tif 000005
【図４】
0003156191.tif 000006
【図５】
0003156191.tif 000007
【図６】
0003156191.tif 000008